(57)【要約】      （修正有）【課題】浴湯中に浮遊している垢や毛髪その他の浮遊物を浴槽本体外へ簡単かつ効率よく良好に流出して除去することができる浴槽を提供する。【解決手段】浴槽本体１０の所望の側壁部の上端部側における所望の部位に位置させて、本体１０の内部と外部とを連通する液体流通路１２を設ける。流通路１２は側壁部に設けた孔或いは切欠凹部で構成する。浴湯中に浮遊している浮遊物を浴湯と一緒に流通路１２から本体１０外へ流出させて浮遊物を除去する。【選択図】図１
0003184094.tif 000002
【実用新案登録請求の範囲】
【請求項１】
浴槽本体の所望の側壁部の上端部側における所望の部位に位置させて、前記浴槽本体の内部と外部とを連通する液体流通路を設けたことを特徴とする浴槽。
【請求項２】
前記液体流通路は、前記浴槽本体の側壁部の上端部の所望の部位を凹ませて形成した所望の深さ及び長さの切欠凹部で構成されていることを特徴とする請求項１に記載の浴槽。
【請求項３】
前記液体流通路は、前記浴槽本体の側壁部の上端部側における所望の部位に位置させて開設した所望の大きさ、かつ、所望の形状の孔で構成されていることを特徴とする請求項１に記載の浴槽。
【考案の詳細な説明】
【技術分野】
【０００１】
本考案は浴槽（バスタブ）関する。さらに詳しくは、浴槽本体内の浴湯中に浮遊する垢その他の浮遊物を浴槽本体外へ簡単かつ良好に流出できる流出手段を備えた浴槽に関する。
【背景技術】
【０００２】
従来、浴槽（バスタブ）として、箱形状，舟形状その他の種々の形状のものが提案されているが、従来の浴槽は、一般に浴槽本体の上端開口部周縁を略面一状に形成されている（例えば、特許文献１−４参照）。
【０００３】
ところで、浴槽本体内の浴湯中には、垢や毛髪その他の物質（浮遊物）が浮遊していることが多くある。そのため、従来は、例えば、１つの方法（第１の方法）として、湯に入る前に柄杓や洗面器などを用いて前記浮遊物を除去する方法を採用している。しかし、この方法によると、前記浮遊物の除去作業に手間が掛る問題（問題１）がある。
【０００４】
他の方法（第２の方法）として、入浴しながら浴湯を満パイになるように給湯し、前記浮遊物を浴槽本体の上端から手作業により湯と一緒に流出させて除去している。しかし、この作業も手間が掛ると共に湯を無駄に使用することになる（問題２）。また、第２の方法によると、例えば、浴室に設置するように構成したタイプの浴槽においては、壁と浴槽との間の隙間に湯が入るので、これが雑菌やカビ等の発生の要因になる問題（問題３）がある。
【０００５】
さらにまた、ある種の型式の風呂においては、風呂場の床面に可及的に湯などを流出させないことが好ましい場合がある。しかし、第２の方法によると、多量の湯を床面に流出する問題（問題４）が生じる。
【先行技術文献】
【特許文献】
【０００６】
【特許文献１】特開平７−２９９００４号公報
【特許文献２】特開平９−４５５号公報
【特許文献３】特開２０１２−４００８９号公報
【特許文献４】実開平６−２６７号広報
【考案の概要】
【考案が解決しようとする課題】
【０００７】
本考案は上記のような実情に鑑みてなされたもので、浴湯中に浮遊している垢や毛髪その他の浮遊物を浴槽本体外へ簡単かつ効率よく良好に流出できると共に湯の無駄使いの問題（問題２）、雑菌やカビ等の発生の問題（問題３）、及び湯の多量流出の問題（問題４）を解消し得る浴槽を提供することを目的とするものである。
【課題を解決するための手段】
【０００８】
上記目的を達成するため、本考案のうち、１つの考案（第１の考案）は、浴槽本体の所望の側壁部の上端部側における所望の部位に位置させて、前記浴槽本体の内部と外部とを連通する液体流通路を設けたことを特徴とする。
【０００９】
本考案の他の１つの考案（第２の考案）は、第１の考案の浴槽において、前記液体流通路は、前記浴槽本体の側壁部の上端部の所望の部位を凹ませて形成した所望の深さ及び長さの切欠凹部で構成されていることを特徴とする。
【００１０】
本考案のさらに１つの考案（第３の考案）は、第１の考案の浴槽において、前記液体流通路は、前記浴槽本体の側壁部の上端部側における所望の部位に位置させて開設した所望の大きさ、かつ、所望の形状の孔で構成されていることを特徴とする。
【００１１】
なお、本考案において、「浴槽」の用語と「バスタブ」の用語は同義語として用いられている。また、「側壁部」とは、浴槽本体の左右の両壁部及び前後の両壁部の全てを含むものとする。さらにまた、浴槽（バスタブ）の型式は特に限定するものではなく、例えば浴室内の床面に設置する設置型、或いはバスユニット型、その他各種の型式の浴槽に適応可能なものである。
【考案の効果】
【００１２】
本考案によれば、次のような作用効果を奏する。
（１）浴槽本体内の浴湯面（湯の上面）が液体流通路の部位に達すると、浴湯に対して前記流通路に向けて誘導する流れ作用が付与される。したがって、浴槽本体内に入浴した際に湯面が前記流通路の部位（流通路の最下部の位置ないしそれ以上）に達する場合、或いは前記部位まで給湯することにより、浴湯に浮遊している垢や毛髪その他の浮遊物は湯と一緒に前記流通路から本体外へ流出する。この場合、入浴者が手で浴湯の所望の上面部側等を流通路側へ誘導することにより、前記流出作用が一層良好になる。
（２）上記（１）により、浴湯中に浮遊している垢や毛髪その他の浮遊物を浴槽本体外へ簡単かつ効率よく良好に流出させて除去することができる。
（３）上記（１）により、湯の無駄遣いの問題を解消することができる。また、雑菌やカビ等の発生や繁殖を防止できる。
【図面の簡単な説明】
【００１３】
【図１】本考案の一実施形態の浴槽の構成を概略的に示す図であって、同図（ａ）は全体の構成を概略的に示す説明斜視図、同図（ｂ）は一部を拡大し、その構成を概略的に示す説明縦断面図である。
【図２】図１に示す浴槽の作用を説明する図であって、同図（ａ）は説明平面図、同図（ｂ）は縦断面説明図、同図（ｃ）は一部を拡大し、作用を説明するために示す縦断面説明図である。
【図３】本考案の他の実施形態の浴槽の構成を概略的に示す図であって、同図（ａ）は全体の構成を概略的に示す説明斜視図、同図（ｂ）は一部を拡大し、その構成を概略的に示す縦断面説明図である。
【図４】図３に示す浴槽の作用を説明する図であって、同図（ａ）は縦断面説明図、同図（ｂ）は一部を拡大し、作用を説明するために示す縦断面説明図である。
【考案を実施するための形態】
【００１４】
以下、図面を参照して本考案の浴槽の実施形態の一例について説明する。なお、図面は本考案の浴槽の主要部の構成を概略的に開示したもので、排水口や追炊き用の出入口部、或いは給水ないし給湯用手段（蛇口等）は省略してある。
【００１５】
図１及び図２は、本考案の一実施形態（実施形態１）の浴槽を示す。実施形態１の浴槽１は、図示しない浴室に独立的に設置する設置型に構成したものが開示されている。
【００１６】
図１及び図２に示すように、実施形態１の浴槽１は、浴槽本体１０の前後及び左右に対向する側壁部１１ａ…１１ｄのうち、所望の側壁部の上端部側における所望の部位に位置させて、本体１０の内部と外部（本体１０の外部）とを連通する液体流通路１２を設けて構成されている。
【００１７】
実施形態１では、浴槽本体１０の側壁部１１ａに前記流通路１２を設けて構成した例が開示されている。
【００１８】
本実施形態の前記流通路１２は、側壁部１１ａの上端部の所望の部位を凹ませて形成した所望の深さ及び長さの切欠凹部１２ａで構成されている。
【００１９】
前記凹部１２ａの深さＸ（側壁部１１ａの上端から凹部１２ａの底部間の長さ）は任意に設定できるものであるが、例えば約３〜約６ｃｍ程度の範囲を挙げることができる。但し、上記範囲内に限定するものではない。
【００２０】
前記凹部１２ａの長さＹも任意に設定できるものであるが、例えば約５〜約１２ｃｍ程度の範囲を挙げることができる。但し、上記範囲内に限定するものではない。
【００２１】
実施形態１の浴槽１は上記のように構成したもので、次に作用効果等について、図２を参照して説明する。
【００２２】
浴槽本体１０内の浴湯３の上面３ａが切欠凹部１２ａの底部より上方部の位置に達すると、図２（ａ）の矢印４で示すように、浴湯３に対して流通路に向けて誘導する流れ作用が付与される。したがて、浴槽本体内に入浴した際に湯面３ａ（浴湯の上面）が凹部１２ａの底部より上方部の位置に達した場合、或いは前記部位まで給湯することにより、浴湯３中に浮遊している垢や毛髪その他の浮遊物５は、図２（ａ）に示すように湯３の流れ作用により凹部１２ａ側へ強制的に誘導される。
そして、図２（ｂ）及び（ｃ）に矢印６で示すように、湯３と一緒に凹部１２ａから本体外へ流出する。
【００２３】
上記のように、本体１０内の浴湯３の上面３ａが前記部位に達すると、浴湯３に浮遊している垢その他の浮遊物５は湯の流れ作用により誘導され、凹部から湯と一緒に自然的（自動的）に本体外へ流出することになる。この場合において、入浴者が手で浴湯の所望の上面部側等（例えば浮遊物が浮遊している部分等）を凹部１２ａ側へ押し流すことにより、前記流出作用を一層良好に行なえる。したがって、浴湯中に浮遊している垢や毛髪その他の浮遊物を浴槽本体外へ簡単かつ効率よく良好に流出させて除去することができる。
【００２４】
図３及び図４は本考案の他の実施形態（実施形態２）の浴槽を示す。実施形態２の浴槽において、実施形態１で既に説明した構成と共通する構成や部材等については同一符号を付して説明を省略する。実施形態２の浴槽２も実施形態１と同様に設置型に構成されている。
【００２５】
図３及び図４に示すように、実施形態２の浴槽２は、浴槽本体２０の前後及び左右に対向する側壁部２１ａ…２１ｄのうち、所望の側壁部の上端部側における所望の部位に位置させて、本体２０の内部と外部とを連通する液体流通路２２を設けて構成されている。
【００２６】
実施形態２においても、浴槽本体２０の側壁部２１ａに流通路２２を設けて構成した例が開示されている。
【００２７】
実施形態２の前記流通路２２は、側壁部２１ａの上端部側における所望の部位に位置させて開設した所望の大きさ、かつ、所望の形状の孔２２ａで構成されている。
【００２８】
実施形態２の前記孔２２ａは、側壁部２１ａの上端部近くに開設した横長の長方形状の孔で構成されている。
【００２９】
前記流通路２２を構成する前記孔２２ａの開設部位、並びに孔２２ａの縦幅Ｘ１（上下幅）及び長さＹ１（横幅）は任意に設定することができる。前記孔２２ａのサイズとして、例えば縦幅Ｘ１：約３〜約６ｃｍ、長さＹ１：約５〜約１２ｃｍ程度の範囲を挙げることができる。但し、上記範囲内に限定するものではない。
また、前記孔２２ａの開設部位は、例えば側壁部２１ａの上端から孔２２ａの下縁までの寸法Ｘ２を約５〜約８ｃｍ程度に設定することができる。但し、上記範囲内に限定するものではない。他の構成は実施形態１と同様である。
【００３０】
実施形態２の浴槽は上記のように構成したもので、浴湯３中に浮遊している垢や毛髪その他の浮遊物５は、図４に矢印６で示すように、浴湯３と一緒に孔２２ａから本体外へ流出する。それ以外は実施形態１と同様の作用効果を発揮する。
【００３１】
なお、上記実施形態１及び２では、浴槽として設置型に構成したものを開示したが、上述したように、本考案はバスユニット型の浴槽その他の各種の型式の浴槽に適応可能なものである。
【００３２】
また、上記した各実施形態は一例として開示したもので、本考案は上記の実施形態に限定されるものではなく、実用新案登録請求の範囲に記載の技術思想を越脱しない範囲において任意に変更可能なものである。
【符号の説明】
【００３３】
１        浴槽
３        浴湯
５        浮遊物
１０      浴槽本体
１１ａ…１１ｄ    側壁部
１２      液体流通路
１２ａ    切欠凹部
【図１】
0003184094.tif 000003
【図２】
0003184094.tif 000004
【図３】
0003184094.tif 000005
【図４】
0003184094.tif 000006